(57)【特許請求の範囲】
【請求項１】
記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行う書き込み消去手段と、
前記書き込み消去手段により前記情報が書き込まれ消去された前記記録領域に対して、評価用情報を書き込む評価用情報書き込み手段と、
前記評価用情報書き込み手段により前記記録領域に書き込まれた前記評価用情報を読み出し、得られる前記評価用情報の再生信号の評価を行う評価手段と、
前記評価手段によって得られた評価結果に基づいてレーザー光のパワー調整を行う調整手段と
を備える情報処理装置。
【請求項２】
前記書き込み消去手段は、前記情報として、所定のパルス列よりなるマークと、所定のレベルの定常値よりなるスペースにより形成されるパターンを前記記録領域に対して書き込む
請求項１に記載の情報処理装置。
【請求項３】
前記書き込み消去手段は、さらに、前記評価手段により前記評価用情報の再生信号が評価された後、前記記録領域に対して前記書き込みおよび前記消去を行う
請求項１に記載の情報処理装置。
【請求項４】
前記評価用情報書き込み手段は、一定のパワーレベルをピークパワーとして、所定のパターンが繰り返される前記評価用情報を前記記録領域に書き込む
請求項１に記載の情報処理装置。
【請求項５】
前記評価用情報書き込み手段は、前記ピークパワーを階段状に変化させながら、所定のパターンが繰り返される前記評価用情報を前記記録領域に書き込む
請求項１に記載の情報処理装置。
【請求項６】
情報処理装置の情報処理方法において、
前記情報処理装置は、
書き込み消去手段と、
評価用情報書き込み手段と、
評価手段と、
調整手段と
を備え、
前記書き込み消去手段が、記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行い、
前記評価用情報書き込み手段が、前記情報が書き込まれ消去された前記記録領域に対して、評価用情報を書き込み、
前記評価手段が、前記記録領域に書き込まれた前記評価用情報を読み出し、得られる前記評価用情報の再生信号の評価を行い、
前記調整手段が、得られた評価結果に基づいてレーザー光のパワー調整を行う
情報処理方法。
【請求項７】
コンピュータを、
記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行う書き込み消去手段と、
前記書き込み消去手段により前記情報が書き込まれ消去された前記記録領域に対して、評価用情報を書き込む評価用情報書き込み手段と、
前記評価用情報書き込み手段により前記記録領域に書き込まれた前記評価用情報を読み出し、得られる前記評価用情報の再生信号の評価を行う評価手段と、
前記評価手段によって得られた評価結果に基づいてレーザー光のパワー調整を行う調整手段と
して機能させるためのプログラム。
【発明の詳細な説明】
【技術分野】
【０００１】
本発明は、情報処理装置および方法、並びにプログラムに関し、特に、より容易にOPC収束値の安定性を向上させることができるようにした情報処理装置および方法、並びにプログラムに関する。
【背景技術】
【０００２】
従来、書き込み可能な光ディスクに対して書き込みを行う光ディスク装置は、情報の記録に先立って、記録時のレーザ光のパワーを最適にするための最適パワー調整（以下、OPC（Optimal Power Calibration）とも称する）を行う。光ディスク装置は、このOPCを、光ディスクに設けられた書き換え可能な領域であるパワーキャリブレーションエリア（PCA（Power Calibration area））に対して行う（例えば特許文献１および特許文献２参照）。
【０００３】
【特許文献１】特開２００４−２７３０７４号公報
【特許文献２】特開平１０−１３４３８９号公報
【発明の開示】
【発明が解決しようとする課題】
【０００４】
しかしながら、OPCでは、PCAの同一RUB（Recording Unit Block）に対して、情報の書き込みと消去が繰り返されるため、従来の方法では情報の消し残り（履歴）が発生しやすく、その結果、評価値として取得されるRF振幅の値がばらつき、OPCの収束結果のばらつきが大きくなったり、収束そのものが困難になったりする恐れがあった。
【０００５】
特に、例えばピークパワーを変化させたり、異なるパワーレベルでOPCを行ったりする場合、RUBには、情報の消し残り（履歴）が複雑なパターンとして残るため、OPCの収束結果のばらつきがより大きくなる（収束しにくくなる）恐れがあった。特許文献１や特許文献２に記載の方法では、パワーレベルを変化させるたびに消去パワーの最適値を求めなければならず、煩雑な作業を必要とするだけでなく、OPCの処理時間が増大する恐れがあった。
【０００６】
本発明はこのような問題を解決するためのものであり、より容易にOPC収束値の安定性を向上させることができるようにするものである。
【課題を解決するための手段】
【０００７】
本発明の一側面は、記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行う書き込み消去手段と、前記書き込み消去手段により前記情報が書き込まれ消去された前記記録領域に対して、評価用情報を書き込む評価用情報書き込み手段と、前記評価用情報書き込み手段により前記記録領域に書き込まれた前記評価用情報を読み出し、得られる前記評価用情報の再生信号の評価を行う評価手段と、前記評価手段によって得られた評価結果に基づいてレーザー光のパワー調整を行う調整手段とを備える情報処理装置である。
【０００８】
前記書き込み消去手段は、前記情報として、所定のパルス列よりなるマークと、所定のレベルの定常値よりなるスペースにより形成されるパターンを前記記録領域に対して書き込むことができる。
【０００９】
前記書き込み消去手段は、さらに、前記評価手段により前記評価用情報の再生信号が評価された後、前記記録領域に対して前記書き込みおよび前記消去を行うことができる。
【００１０】
前記評価用情報書き込み手段は、一定のパワーレベルをピークパワーとして、所定のパターンが繰り返される前記評価用情報を前記記録領域に書き込むことができる。
【００１１】
前記評価用情報書き込み手段は、前記ピークパワーを階段状に変化させながら、所定のパターンが繰り返される前記評価用情報を前記記録領域に書き込むことができる。
【００１２】
本発明の一側面はまた、書き込み消去手段が、記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行い、評価用情報書き込み手段が、前記情報が書き込まれ消去された前記記録領域に対して、評価用情報を書き込み、評価手段が、前記記録領域に書き込まれた前記評価用情報を読み出し、得られる前記評価用情報の再生信号の評価を行い、調整手段が、得られた評価結果に基づいてレーザー光のパワー調整を行う情報処理方法である。
【００１３】
本発明の一側面はさらに、コンピュータを、記録媒体である書き込み可能な光ディスクの所定の記録領域に対して所定の情報の書き込みを行い、さらに、書き込まれた前記情報の消去を、書き込み時のピークパワーより所定の比を用いて算出される、前記記録領域に対して前記書き込みを行わずに消去を行う場合の消去用のパワーよりも低いパワーで行う書き込み消去手段と、前記書き込み消去手段により前記情報が書き込まれ消去された前記記録領域に対して、評価用情報を書き込む評価用情報書き込み手段と、前記評価用情報書き込み手段により前記記録領域に書き込まれた前記評価用情報を読み出し、得られる前記評価用情報の再生信号の評価を行う評価手段と、前記評価手段によって得られた評価結果に基づいてレーザー光のパワー調整を行う調整手段として機能させるためのプログラムである。
【００１４】
本発明の一側面においては、記録媒体である書き込み可能な光ディスクの所定の記録領域に対して所定の情報の書き込みが行われ、さらに、書き込まれた情報の消去が、書き込み時のピークパワーより所定の比を用いて算出される、記録領域に対して書き込みを行わずに消去を行う場合の消去用のパワーよりも低いパワーで行われ、情報が書き込まれ消去された記録領域に対して、評価用情報が書き込まれ、記録領域に書き込まれた評価用情報が読み出され、得られる評価用情報の再生信号の評価が行われ、得られた評価結果に基づいてレーザー光のパワー調整が行われる。
【発明の効果】
【００１５】
本発明によれば、最適パワーレベルを求めることができる。特に、より容易にOPC収束値の安定性を向上させることができる。
【発明を実施するための最良の形態】
【００１６】
最初に、トレイに装着された書き込み可能な光ディスクに対して記録再生装置（図示せず）が行う最適パワー調整（OPC（Optimal Power Calibration））の基本の流れについて説明する。
【００１７】
図１は、基本の最適パワー調整処理の流れの例を示すフローチャートである。
【００１８】
最適パワー調整処理を開始すると記録再生装置は、ステップＳ１において、OPCを行うRUB（Recording Unit Block）を所定のOPC領域の中からランダムに決定する。ステップＳ２において、記録再生装置は、OPCの後述する１６段階パワー階段ライト処理の中心パワー（P0）のレベルを設定する。
【００１９】
ステップＳ３において、記録再生装置は、ステップＳ１において決定した処理対象RUBを単純にDCイレース（消去）する。このとき、記録再生装置は、図２に示されるように、一定のパワー（イレースパワー）のレーザ光を光ディスク（処理対象RUB）に対して出射することにより消去を行う。このイレースパワーの大きさはメディア（光ディスク）に依存する。基本的には、このイレースパワーを大きくするほど、情報の消し残り（履歴）は少なくなり、OPC収束値のばらつきは小さくなりやすくなる。換言すれば、イレースパワーが小さいと、OPC収束値のばらつきが大きくなりやすいので、この場合、イレースパワーは比較的大きな値をとる。ただし、イレースパワーが大きいほど、メディア（光ディスク）の記録層に与えるダメージは大きくなる。
【００２０】
DCイレースのパワー（イレースパワー）（Pe）は、例えば、光ディスクの仕様書のDI（Disc Information）に記載されている、ライト（書き込み）時に最適のピークパワー（Pp）と、イレースパワー（Pe）とピークパワー（Pp）の比（Pe/Pp）を用いて算出する（Pp×Pe/Pp）。
【００２１】
ステップＳ４において、記録再生装置は、処理対象RUBに対してピークパワーを一定として書き込み（リファレンスライト）を行う。記録再生装置は、例えば図３Ａに示されるように、処理対象RUBに対して、ピークパワーを一定とする所定の情報パターン（信号波形）を書き込む。図３Ｂは、図３Ａに示される波形の一部（図３Ａ中右側の四角に示される部分）を拡大したものである。記録再生装置は、例えば、図３Ｂに示されるように、１６Ｔ（Ｔは単位時間）を１周期とする情報パターンを繰り返し書き込む。
【００２２】
記録再生装置は、例えば、OPCのパラメータである変数ρを用いてピークパワーをP0×ρとしライト（書き込み）のPe/Pp比は光ディスクの仕様書のDIに記載されている値を適用する。なお、変数ρは、最適ピークパワーPwoとOPC収束値の目標値Ptargetの比を示す。より具体的には、最適ピークパワーPwoは、変数ρとOPC収束値の目標値Ptargetを用いて以下の式（１）のように表すことができる。
【００２３】
Pwo=ρ×Ptarget  ・・・（１）
【００２４】
ステップＳ５において、記録再生装置は、このリファレンスライトに対する再生RF振幅（REF）を光ディスク（処理対象RUB）より読み取り、評価する。図４Ａは、光ディスクより読み取られる再生RF振幅の例を示す図であり、図４Ｂは、図４Ａに示される波形の一部（図４Ａ中右側の四角に示される部分）を拡大した図である。図４Ｂに示されるように、リファレンスライトで書き込まれた１６Ｔを１周期とする情報パターンが、サイン波のような波形として検出される。なお、この再生RF振幅（REF）の検出は、図４Ａに示されるように、後述する１６段階パワー階段ライトに合わせて、処理対象の２RUBを１６分割された領域（OPCブロック）毎に行われる（REF０乃至REF１５）。リファレンスライト時においてはピークパワーが一定であるので、通常、この再生RF信号の再生RF振幅（REF０乃至REF１５）も一定となる。
【００２５】
リファレンスライトに対する再生RF振幅の評価が終了すると、記録再生装置は、ステップＳ６において、処理対象RUBを単純にDCイレースする。このときのイレースパワーは、図５に示されるように、ステップＳ３の場合と同様である。
【００２６】
ステップＳ７において、記録再生装置は、処理対象RUBに対して、ピークパワーを、中心パワーP0を中心として１６段階に変化させながら書き込みを行う１６段階パワー階段ライトを行う。
【００２７】
記録再生装置は、例えば図６Ａに示されるように、処理対象RUBに対して、ピークパワーを上述した１６個のOPCブロック毎に階段状に変化させながら、所定の情報パターン（信号波形）を書き込む。図６Ｂは、図６Ａに示される波形の一部（図６Ａ中右側の四角に示される部分）を拡大したものである。記録再生装置は、例えば、図６Ｂに示されるように、リファレンスライトの場合と同様の、１６Ｔ（Ｔは単位時間）を１周期とする情報パターンを繰り返し書き込む。
【００２８】
ステップＳ８において、記録再生装置は、この１６段階パワー階段ライトに対する再生RF振幅（EVA）を光ディスク（処理対象RUB）より読み取り、評価する。図７Ａは、光ディスクより読み取られる再生RF振幅の例を示す図であり、図７Ｂは、図７Ａに示される波形の一部（図７Ａ中右側の四角に示される部分）を拡大した図である。図７Ｂに示されるように、１６段階パワー階段ライトで書き込まれた１６Ｔを１周期とする情報パターンが、サイン波のような波形として検出される。図７Ａに示されるように、再生RF振幅（EVA）の評価は、上述したOPCブロック毎に行われる（EVA０乃至EVA１５）。１６段階パワー階段ライト時においてはピークパワーがOPCブロック毎に変化するので、通常、この再生RF信号の再生RF振幅（EVA０乃至EVA１５）も互いに異なる値をとる。
【００２９】
１６段階パワー階段ライトに対する再生RF振幅の評価が終了すると、記録再生装置は、ステップＳ９において、ステップＳ５およびステップＳ８の処理により得られた評価結果からOPC収束判断を行う。
【００３０】
ステップＳ１０において、記録再生装置は、その判断結果に基づいて収束したか否かを判定し、収束したと判定した場合、ステップＳ１１に処理を進め、ステップＳ３およびステップＳ６の場合と同様に、処理対象RUBを単純にDCイレースし、最適パワー調整処理を正常終了する。
【００３１】
また、ステップＳ１０において、収束していないと判定した場合、記録再生装置は、ステップＳ１２に処理を進め、１６段階パワー階段ライトの中心パワーP0の値を変更するか否かを判定する。変更すると判定した場合、記録再生装置は、処理をステップＳ１３に進め、中心パワーP0を変更し、処理をステップＳ３に戻し、新たな中心パワーP0について、ステップＳ３以降の処理を繰り返す。
【００３２】
ステップＳ１２において、中心パワーを変更しないと判定した場合、記録再生装置は、処理をステップＳ１４に進め、処理対象RUBを変更するか否かを判定する。処理対象RUBを変更すると判定した場合、記録再生装置は、処理をステップＳ１５に進め、処理対象RUBを変更し、処理をステップＳ２に戻し、新たな処理対象RUBについて、ステップＳ２以降の処理を繰り返す。
【００３３】
ステップＳ１４において、処理対象RUBを変更しないと判定した場合、記録再生装置は、ステップＳ１６に処理を進め、エラー処理を行い、収束しない旨を通知し、最適パワー調整処理をエラー終了する。
【００３４】
以上のような基本のOPCを行うことにより記録再生装置は、レーザ光のパワー調整を行うことができる。以上のように、基本のOPCでは、処理対象RUBの情報を消去するDCイレース処理において、単純にイレースを行う。以下において、このようなDCイレースの方式を単純イレース方式と称する。
【００３５】
上述したようなOPCにおいて、DCイレース処理を、単純にイレースするのではなく、一度書き込み（ライト処理）を行ってから消去（イレース）を行うようにしてもよい。以下において、このようなDCイレースの方式をライトイレース方式と称する。このライトイレース方式を適用する場合のOPCについて以下に説明する。
【００３６】
図８は、本発明を適用した光ディスクドライブの主な構成例を示すブロック図である。
【００３７】
図８に示される光ディスクドライブ１００は、所定の位置に装着された光ディスク１２１に対して、レーザ光を照射することにより情報の読み出しや書き込みを行う装置である。光ディスク１２１は、書き込み（追記または書き換え）可能な光ディスクである。光ディスク１２１の例として、例えば、CD-R（Compact Disc - Recordable）、CD-RW（Compact Disc - Rewritable）、DVD±R（Digital Versatile Disc ± Recordable）、または、DVD±RW（Digital Versatile Disc ± Rewritable）がある。また、例えば、DVD-RAM（Digital Versatile Disc - Random Access Memory）、BD-R（Blu-ray Disc - Recordable）、または、BD-RE（Blu-ray Disc - Rewritable）がある。光ディスクドライブ１００が対応しているのであれば、これらの規格以外の光ディスク（記録媒体）であってももちろんよい。
【００３８】
光ディスクドライブ１００は、システムコントローラ１１１、スピンドルモータ駆動回路１１２、スピンドルモータ１１３、サーボ制御部１１４、データプロセッサ１１５、および光学ヘッド部１１６を有している。
【００３９】
システムコントローラ１１１は、光ディスクドライブ１００内の各部の動作を制御する制御部である。システムコントローラ１１１は、CPU（Central Processing Unit）１３１、ROM（Read Only Memory）１３２、およびRAM（Random Access Memory）１３３を有する。CPU１３１が、ROM１３２に記憶されているプログラム、またはRAM１３３にロードされたプログラムに従って各種の処理を実行することにより、システムコントローラ１１１として機能する。RAM１３３にはまた、CPU１３１が各種の処理を実行する上において必要なデータなども適宜記憶される。以下において説明するシステムコントローラ１１１の動作は、いずれも、CPU１３１が上述したようにROM１３２やRAM１３３等を用いて行う動作に相当する。
【００４０】
スピンドルモータ駆動回路１１２は、システムコントローラ１１１に制御されて、光ディスク１２１を回転させるためのスピンドルモータ１１３の回転駆動を制御する。サーボ制御部１１４は、システムコントローラ１１１に制御されて、光ピックアップ（光学ヘッド部１１６）の位置制御を行う。データプロセッサ１１５は、システムコントローラ１１１に制御されて、光ディスク１２１より読み出された情報や光ディスク１２１に書き込む情報を処理対象とする情報処理を行う。光学ヘッド部１１６は、システムコントローラ１１１に制御されて、光ディスク１２１に対してレーザ光を照射し、情報を読み出したり書き込んだりする。
【００４１】
例えば、光学ヘッド部１１６は、データプロセッサ１１５より取得した、デジタルデータを電気信号から光信号（レーザ光）に変換し、そのレーザ光の光出力レベルを、光ディスク表面を冷却するときの発光パワーであるクールパワー（クール光出力レベル）、光ディスクに記録されている情報を消去するときの発光パワーであるイレースパワー（イレース光出力レベル）、並びに、光ディスクに情報を書き込むときの発光パワーであるピークパワー（ピーク光出力レベル）のいずれかに切り替えながら光ディスク１２１に照射することにより、そのデジタルデータを光ディスク１２１に書き込む。また、光学ヘッド部１１６は、光ディスク１２１にレーザ光を、光ディスクに記録されている情報を読み出すときの発光パワーであるリードパワー（リード光出力レベル）で照射することにより、光ディスク１２１に記録されているデジタルデータを光信号として抽出し、それを電気信号に変換してデータプロセッサ１１５に供給する。
【００４２】
このような光ディスクドライブ１００は、書き込み処理が行われる前に、その書き込み時のレーザ発光パワーが最適とされる値となるように調整処理（最適パワー調整（OPC））を行う。このOPCの制御は、システムコントローラ１１１が行う。
【００４３】
OPCの実行に必要なパワー（ピークパワー、イレースパワー、クールパワー等）の設定は、システムコントローラ１１１が光学ヘッド部１１６に対して行う。OPCの実行に必要な記録開始タイミング、EVAライト（階段ライト）のパワー切り替えタイミング、書き込み用のデータ（ライトデータ）等はデータプロセッサ１１５より供給される。なお、このライトデータは、実際にディスクに書き込まれる信号に相当し、図示しないライトストラテジー回路（WS）を通して、光学ヘッド部１１６内の、レーザ光出力を制御するLDD（LaserDiodeDriver）のピーク、イレース、クール等のチャンネルのON/OFF信号に変換され供給される。システムコントローラ１１１は、データプロセッサ１１５に対し各種動作モードの実行に際し適切なタイミングで必要な設定を行う。
【００４４】
また、システムコントローラ１１１は、サーボ制御部１１４、スピンドルモータ駆動回路１１２に対しても各種動作モードの実行に対し、適切なタイミングで必要な設定を行い、光ディスクドライブ１００の全体動作を統合して制御する。
【００４５】
OPCの実行に必要な再生RF信号の振幅評価機能はデータプロセッサ１１５に実装されており、データプロセッサ１１５からのタイミングを受けてシステムコントローラ１１１が適切なタイミングで評価された振幅データを取得するように各部を制御する。システムコントローラ１１１は、このように取得したデータに対して処理を行い、OPCの収束判断や収束値の計算等のOPCの全体シーケンスの制御実行を行う。
【００４６】
次に、このシステムコントローラ１１１により実行される、ライトイレース方式を適用した最適パワー調整処理の流れの例を図９のフローチャートを参照して説明する。
【００４７】
最適パワー調整処理を開始するとシステムコントローラ１１１は、ステップＳ１０１において、OPCを行うRUBを２つ（２RUB）所定のOPC領域の中からランダムに決定する（RUB N,RUB N+1）。OPC領域は、例えば光ディスク１２１の最内周から2048RUBのように、光ディスクの規格の仕様書等により予め定められている。OPC領域内のどのRUBを用いてOPCを行っても基本的には同等の結果が得られる。システムコントローラ１１１は、例えばディフェクト（傷や欠陥）等の、OPC処理に不適切なRUBの使用を避けるために、偏りが生じないようにランダムに処理対象RUBを決定する。もちろん、システムコントローラ１１１が、所定の法則に従って処理対象RUBを決定するようにしてもよい。
【００４８】
ステップＳ１０２において、システムコントローラ１１１は、OPCの後述する１６段階パワー階段ライト処理の中心パワー（P0）のレベルを設定する。例えば、この中心パワーP0の値は、ROM１３２若しくはデータプロセッサ１１５に記録されているか、または、RAM１３３にロードされたデータの中に含まれている。システムコントローラ１１１は、ROM１３２、RAM１３３、またはデータプロセッサ１１５より、この値を取得し、それを１６段階パワー階段ライト処理の中心パワー（P0）のレベルとして設定する。この設定された値は、例えば、RAM１３３に保持され、システムコントローラ１１１による光学ヘッド部１１６等の制御の際に利用される。また、この１６段階パワー階段ライト処理の中心パワー（P0）のレベルとして設定された値が、光学ヘッド部１１６に供給されて保持されるようにし、光学ヘッド部１１６が動作時に、適宜この値を利用するようにしてもよい。
【００４９】
ステップＳ１０３において、システムコントローラ１１１は、ステップＳ１０１において決定した処理対象RUBを、ライトイレース方式でDCイレース（消去）する。このライトイレース方式のDCイレース処理は、詳細については後述するが、一度ライト（書き込み）を行った後イレース（消去）を行う処理のことである。
【００５０】
ライトイレース方式によるDCイレースが終了すると、システムコントローラ１１１は、ステップＳ１０４において、光学ヘッド部１１６等の各部を制御し、ピークパワーを一定として書き込みを行うリファレンスライトを、ステップＳ１０１の処理により決定された処理対象RUBに対して実行させる。ステップＳ１０５において、システムコントローラ１１１は、データプロセッサ１１５に実装される振幅評価機能を利用して、このリファレンスライトに対する再生RF振幅（REF）を光ディスク（処理対象RUB）より読み取って評価し、その評価値を取得する。つまり、システムコントローラ１１１は、リファレンスライトにより書き込まれた評価用情報の読み出しを行い、得られた再生信号の評価を行う。
【００５１】
リファレンスライトに対する再生RF振幅の評価が終了すると、システムコントローラ１１１は、ステップＳ１０６において、処理対象RUBをライトイレース方式でDCイレースする。このライトイレース方式のＤＣイレース処理は、ステップＳ１０３の場合と同様である。
【００５２】
ライトイレース方式によるDCイレースが終了すると、システムコントローラ１１１は、ステップＳ１０７において、光学ヘッド部１１６等の各部を制御し、ステップＳ１０２の処理により設定した中心パワーP0を中心としてピークパワーを１６段階に変化させながら書き込みを行う１６段階パワー階段ライトを、ステップＳ１０１の処理により決定された処理対象RUBに対して実行させる。ステップＳ１０８において、システムコントローラ１１１は、データプロセッサ１１５に実装される振幅評価機能を利用して、この１６段階パワー階段ライトに対する再生RF振幅（REF）を光ディスク（処理対象RUB）より読み取って評価し、その評価値を取得する。つまり、システムコントローラ１１１は、１６段階パワー階段ライトにより書き込まれた評価用情報の読み出しを行い、得られた再生信号の評価を行う。
【００５３】
１６段階パワー階段ライトに対する再生RF振幅の評価が終了すると、システムコントローラ１１１は、ステップＳ１０９において、ステップＳ１０５およびステップＳ１０８の処理により得られた評価結果からOPC収束判断を行う。
【００５４】
ステップＳ１１０において、システムコントローラ１１１は、その判断結果に基づいて収束したか否かを判定し、収束したと判定した場合、ステップＳ１１１に処理を進め、ステップＳ１０３およびステップＳ１０６の場合と同様に、処理対象RUBをライトイレース方式でDCイレースし、最適パワー調整処理を正常終了する。
【００５５】
また、ステップＳ１１０において、収束していないと判定した場合、システムコントローラ１１１は、ステップＳ１１２に処理を進め、１６段階パワー階段ライトの中心パワーP0の値を変更するか否かを判定する。光ディスクドライブ１００に装着された光ディスク１２１の特性に対して、中心パワーP0が大きすぎたり小さすぎたりする場合、RF振幅のばらつきが大きくなり、OPCが収束しづらくなる場合がある。その場合、システムコントローラ１１１は、中心パワーP0の値をより大きな値、または、より小さな値にシフトさせることにより、OPCを収束させやすくすることができる。
【００５６】
このような目的のために、中心パワーP0の値を変更すると判定した場合、システムコントローラ１１１は、処理をステップＳ１１３に進め、中心パワーP0の値を大きい方または小さい方に所定量シフトさせて変更し、処理をステップＳ１０３に戻し、新たな中心パワーP0について、ステップＳ１０３以降の処理を繰り返す。
【００５７】
ステップＳ１１２において、以上のステップＳ１０３乃至ステップＳ１１３の処理を繰り返し、中心パワーP0をこれ以上変化させても収束しない（中心パワーをこれ以上変更しない）と判定した場合、システムコントローラ１１１は、処理をステップＳ１１４に進め、処理対象RUBを変更するか否かを判定する。例えば処理対象RUBに選択したRUBにディフェクト（傷や欠陥）が存在するような場合、中心パワーP0を変化させてOPCを繰り返しても収束しないときがある（たまたまそのRUBが収束しないことがある）。このようなとき、システムコントローラ１１１は、処理対象RUBを変更し、新しいRUBに対して改めてOPCを行う。
【００５８】
つまり、ステップＳ１１４において、処理対象RUBを変更すると判定した場合、システムコントローラ１１１は、処理をステップＳ１１５に進め、処理対象RUBを変更し、処理をステップＳ１０２に戻し、新たな処理対象RUBについて、ステップＳ１０２以降の処理を繰り返す。
【００５９】
ステップＳ１４において、このようにステップＳ１０２乃至ステップＳ１１５の処理を繰り返し、処理対象RUBを変更させても収束しない（処理対象RUBをこれ以上変更しない）と判定した場合、システムコントローラ１１１は、ステップＳ１１６に処理を進め、エラー処理を行い、収束しない旨を通知し、最適パワー調整処理をエラー終了する。
【００６０】
以上のようにライトイレース方式を適用して最適パワー調整処理を行うことにより、システムコントローラ１１１は、より容易にOPC収束値の安定性を向上させるように、レーザ光のパワー調整を行うことができる。
【００６１】
次に、図１０のフローチャートを参照して、図９のステップＳ１０３、ステップＳ１０６、およびステップＳ１１１において実行されるDCイレース処理の流れの例を説明する。
【００６２】
DCイレース処理を開始すると、システムコントローラ１１１は、ステップＳ１３１において、光学ヘッド部１１６等の各部を制御して、処理対象RUBに所定のパターンを所定のピークパワーで書き込み（ライト）させる。ステップＳ１３２において、システムコントローラ１１１は、光学ヘッド部１１６等の各部を制御して、ステップＳ１３１の処理により書き込みを行った処理対象RUBを、メディアのタイプ毎に決定される低パワーでDCイレースさせる。
【００６３】
以上のように、システムコントローラ１１１は、処理対象RUBに対して所定の情報を書き込み、その書き込んだ情報の再生信号の評価を行わずに、その処理対象RUBに対して消去を行う。つまり、システムコントローラ１１１は、処理対象RUBに対して所定の情報の書き込みと消去を連続して行う。
【００６４】
ステップＳ１３２の処理を終了すると、システムコントローラ１１１は、DCイレース処理を終了し、図９のステップＳ１０３、ステップＳ１０６、またはステップＳ１１１（DCイレース処理を開始した処理）に戻し、それ以降の処理を実行する。
【００６５】
以上のようにOPCのDCイレースの際に、一度書き込みを行ってから消去を行うようにすることにより、システムコントローラ１１１は、より容易にOPC収束値の安定性を向上させることができる。また、ステップＳ１３２におけるイレースの際、単純イレース方式の場合より低いパワーで十分にイレースすることができるので、システムコントローラ１１１は、メディア（光ディスク１２１）の記録膜のOPCによる劣化を抑制することができる。特に、繰り返しOPCを行う場合、より大きな効果を得ることができる。
【００６６】
次に、以上の様な、ライトイレース方式のDCイレースを適用したOPCの各処理についてより具体的に説明する。
【００６７】
上述したように、システムコントローラ１１１は、図９のステップＳ１０３において、図１０に示されるようなライトイレース方式のDCイレース処理を実行する。DCイレース処理を開始したシステムコントローラ１１１は、まず、図１０のステップＳ１３１において、例えば図１１Ａに示されるように、処理対象RUBに対して、ピークパワーを一定とする所定の情報パターン（信号波形）を書き込む。図１１Ｂは、図１１Ａに示される波形の一部（図１１Ａ中右側の四角に示される部分）を拡大したものである。システムコントローラ１１１は、例えば、図１１Ｂに示されるように、通常のライト動作で発生する情報パターンと同様にさまざまなＴがランダムに繰り返される情報パターン（所謂、ランダムパターン）を書き込む。
【００６８】
なお、この情報パターンは任意であり、リファレンスライトや１６段階パワー階段ライトの情報パターンと同一であっても良い。
【００６９】
また、このときのライトのピークパワーには、例えば、光ディスク１２１の規格の仕様書のDI（Disc Information）に記載されている、記録最適のピークパワー（Pp）が適用される。また、Pe/Pp比は、全メディア共通で例えば0.3程度の固定値に設定する。
【００７０】
書き込みの後、システムコントローラ１１１は、図１０のステップＳ１３２において、処理対象RUBを図１１Ｃのように消去する。このときのイレースパワー（Pe）のレベルは、上述した情報パターン（例えばランダムパターン）のマークを消去可能な値であればよく、メディアのタイプ毎に決定される固定値で、その値は、単純方式のDCイレースの場合よりも低い値でよい。例えば、以下のように複数の固定値を用意し、システムコントローラ１１１が、メディアタイプに応じてそれらの中から選択するようにしてもよい。
【００７１】
（Ａ）シングルレイヤディスク（SLディスク）の場合、Pe＝２．０（ｍＷ）
（Ｂ）ダブルレイヤディスク（DLディスク）のL0層の場合、Pe＝４．０（ｍＷ）
（Ｃ）ダブルレイヤディスク（DLディスク）のL1層の場合、Pe＝３．５（ｍＷ）
【００７２】
以上のように、システムコントローラ１１１は、単純イレース方式の場合よりも低パワーで十分に消去をすることができる。
【００７３】
図９のステップＳ１０４において、システムコントローラ１１１は、例えば図１２Ａに示されるように、リファレンスライトとして、処理対象RUBに対して、ピークパワーを一定とする所定の情報パターン（信号波形）を書き込む。図１２Ｂは、図１２Ａに示される波形の一部（図１２Ａ中右側の四角に示される部分）を拡大したものである。システムコントローラ１１１は、例えば、図３Ｂに示されるように、１６Ｔ（Ｔは単位時間）を１周期とし、その１６Ｔのうち８Ｔの期間パルス波が繰り返される情報パターン（所謂、８Ｔモノトーンパターン）を繰り返し書き込む。
【００７４】
このときのピークパワーは、１６段階パワー階段ライトのピークパワーの最大値が設定される。また、Pe/Pp比には、仕様書のDIに記録されている値が適用される。
【００７５】
図１３Ａに示されるように、図９のステップＳ１０５において、システムコントローラ１１１が、このリファレンスライトに対する再生RF振幅（REF）を光ディスク（処理対象RUB）より読み取り、評価する。図１３Ｂは、図１３Ａに示される波形の一部（図１３Ａ中右側の四角に示される部分）を拡大した図である。図１３Ｂに示されるように、リファレンスライトで書き込まれた１６Ｔを１周期とする情報パターンが、サイン波のような波形として検出される。なお、この再生RF振幅（REF）の検出は、図１３Ａに示されるように、後述する１６段階パワー階段ライトに合わせて、処理対象の２RUBを１６分割された領域（OPCブロック）毎に行われる（REF０乃至REF１５）。リファレンスライト時においてはピークパワーが一定であるので、通常、この再生RF信号の再生RF振幅（REF０乃至REF１５）も一定となる。
【００７６】
リファレンスライトに対する再生RF振幅の評価が終了すると、システムコントローラ１１１は、図９のステップＳ１０６において、処理対象RUBをライトイレース方式によりDCイレースする。このときのイレースパワーは、図１４に示されるように、ステップＳ１０３の場合と同様である。
【００７７】
図９のステップＳ１０７において、システムコントローラ１１１は、例えば図１５Ａに示されるように、処理対象RUBに対して、ピークパワーをOPCブロック毎に、中心パワーP0を中心とした１６段階に階段状に変化させながら、所定の情報パターン（信号波形）を書き込む。Pe/Pp比は、仕様書のDIに記載されている値が適用される。図１５Ｂは、図１５Ａに示される波形の一部（図１５Ａ中右側の四角に示される部分）を拡大したものである。記録再生装置は、例えば、図１５Ｂに示されるように、リファレンスライトの場合と同様の、１６Ｔ（Ｔは単位時間）を１周期とする情報パターン（所謂、８Ｔモノトーンパターン）を繰り返し書き込む。
【００７８】
図９のステップＳ１０８において、システムコントローラ１１１は、この１６段階パワー階段ライトに対する再生RF振幅（EVA）を光ディスク（処理対象RUB）より読み取り、評価する。図１６Ａは、光ディスクより読み取られる再生RF振幅の例を示す図であり、図１６Ｂは、図１６Ａに示される波形の一部（図１６Ａ中右側の四角に示される部分）を拡大した図である。図１６Ｂに示されるように、１６段階パワー階段ライトで書き込まれた１６Ｔを１周期とする情報パターンが、サイン波のような波形として検出される。図１６Ａに示されるように、再生RF振幅（EVA）の評価は、上述したOPCブロック毎に行われる（EVA０乃至EVA１５）。１６段階パワー階段ライト時においてはピークパワーがOPCブロック毎に変化するので、通常、この再生RF信号の再生RF振幅（EVA０乃至EVA１５）も互いに異なる値をとる。
【００７９】
次に、上述した単純イレース方式を適用した基本のOPCとライトイレース方式を適用したOPCの評価結果について説明する。
【００８０】
図１７乃至図２２は、２層光ディスク（デュアルレイヤ（DL）ディスク）のL1層について、2.4倍速で単純イレース方式を適用した基本のOPCとライトイレース方式を適用したOPCを行った実際の評価結果を比較した例を示している。なお、以下において、ライトイレース方式を適用したOPCにおけるパワー設定は、次のように行っている。
【００８１】
ライト（書き込み）実行時のピークパワー（Pp）は、Dibankのライト最適の設定値を使用し、11.8ｍＷとする。また、Pe/Pp比は全メディア共通の0.3とする。平均的なパワーレベルは通常のライトと同等若しくは楽な方向となっている。
【００８２】
イレース（消去）実行時のイレースパワー（ERACE Pe）は、3.5ｍＷとする。これも低めの値で、OPCDOWに対して有利な方向となっている。
【００８３】
リファレンスライト（wopcref）実行時のPindに対するPpの倍率（REFW）は1.225としている。EVAライト（１６段階パワー階段ライト）の１６ステップの最大のパワーに合わせ、ばらつき改善を狙った措置である。
【００８４】
また、以下において単純イレース方式の場合の、リファレンスライト（wopcref）実行時のPindに対するPpの倍率（REFW）は1.5とし、イレース（消去）実行時のイレースパワー（ERACE Pe）は、3.78ｍＷとする。
【００８５】
なお、OPCにおける書き込み速度（記録速度）および読み出し速度（再生速度）はいずれも2.4倍速で行う。
【００８６】
図１７は、PindSCAN評価結果を比較する図である。PindSCANでは、上述したEVAライトの各段階のピークパワーPfitのレンジが低い場合、中程度の場合、および高い場合のそれぞれの場合についてのOPCを様々な順序で実行する。図１７のグラフは、そのOPCの演算により求められるPthrsholdをPfitに対してプロットしたものであり、横軸（ｘ軸）をPindとし、縦軸（ｙ軸）をＸ切片とする。
【００８７】
なお、Pthrsholdは、ピークパワーPpを横軸（ｘ軸）とし、EVA/REF×Ppを縦軸（ｙ軸）とするPMグラフにおいて形成される曲線（PMカーブ）の各測定ポイントにおける接線（ピークパワーPpがPfit１乃至Pfit１６のときのPMカーブの接線）と、ｘ軸との交点（Ｘ切片）のｘ座標（ピークパワー）のことである。
【００８８】
図１７Ａが単純イレース方式を適用した基本のOPCの結果の例を示しており、図１７Ｂがライトイレース方式を適用したOPCの結果の例を示している。
【００８９】
図１７Ａおよび図１７Ｂの各グラフに示される３本の直線は、（Pind）＝Κ×（x切片）を示すものである。ところで、２つの評価ポイント（Pfit1，Ptar1）と（Pfit2，Ptar2）よりOPCの収束値Ptargetを算出する式は例えば、以下の式（２）のように示される。
【００９０】
Ptarget＝（Ptar2×Pfit1−Ptar1×Pfit2）／（Ptar2−Ptar1−Pfit2＋Pfit1）・・・（２）
【００９１】
この式（２）は、図１７Ａおよび図１７Ｂにおいてプロットされた点群のうち、上述した３本の直線付近の点がOPCの収束点となることを示す。つまり、図１７Ａおよび図１７Ｂにおいて直線付近にプロットされた点のばらつきが少ないほど、OPC収束値のばらつきが少なく、安定性が高い。
【００９２】
図１７Ａと図１７Ｂとを比較すると、明らかに図１７Ｂの方がOPCの収束値のばらつきが少ない。つまり、ライトイレース方式を適用するOPCの場合の方が、単純イレース方式を適用する基本のOPCの場合よりも収束値が安定する。換言すれば、ライトイレース方式を適用するOPCの場合の方が、単純イレース方式を適用する基本のOPCの場合よりも、記録の履歴の影響が小さく、OPC記録に対する消去がよりきれいに行われている（OPC評価の下地がより好ましい状態になっている）。
【００９３】
図１８は、OPCDOW２００評価結果を比較する図である。OPCDOW２００は、Pfitのパワーレンジを上述した３段階の中程度とするときのOPCを200回繰り返し実行するものであり、図１８Ａおよび図１８Ｂのグラフは、そのOPCの演算で求まったPthrsholdの結果をPfitに対してプロットしたものである。図１７と同様に、横軸（ｘ軸）はPindを示し、縦軸（ｙ軸）はＸ切片を示す。また、図１８Ａが単純イレース方式を適用した基本のOPCの結果の例を示しており、図１８Ｂがライトイレース方式を適用したOPCの結果の例を示している。
【００９４】
図１８の場合も図１７の場合と同様に、プロットされた点群のうち、各グラフに示される３本の直線付近の点がOPCの収束点となる。つまり、図１８Ａおよび図１８Ｂにおいて直線付近にプロットされた点のばらつきが少ないほど、OPC収束値のばらつきが少なく、安定性が高い。
【００９５】
図１８Ａと図１８Ｂとを比較すると、明らかに図１８Ｂの方がOPCの収束値のばらつきが少ない。つまり、OPCDOWの評価においても、ライトイレース方式を適用するOPCの場合の方が、単純イレース方式を適用する基本のOPCの場合よりも収束値が安定することが示される。
【００９６】
図１９は、OPC収束値のトレンド特性を比較する図である。図１９Ａおよび図１９Ｂに示されるグラフは、図１８の評価結果に基づいて、κ＝1.5の場合の収束値を求め、OPC試行回数に対するトレンド特性をまとめたものである。横軸（ｘ軸）はOPC収束値の数、すなわちOPC試行回数を示し、縦軸（ｙ軸）は、収束値Ptarget（ｍＷ）の値を示す。また、図１９Ａが単純イレース方式を適用した基本のOPCの結果の例を示しており、図１９Ｂがライトイレース方式を適用したOPCの結果の例を示している。当然、各プロット点のばらつきが小さいほど、OPC収束値のばらつきが少なく、安定性が高い。
【００９７】
図１９Ａと図１９Ｂとを比較すると、明らかに図１９Ｂの方がOPCの収束値のばらつきが図１９Ａの場合よりも少ない。具体的に数値で示すと、図１９Ａの場合の収束値は、最大値8.17、最小値7.39、最大値最小値差0.78、平均7.70となり、ばらつきの指数は10.2となる。これに対して、図１９Ｂの場合の収束値は、最大値7.95、最小値7.50、最大値最小値差0.45、平均7.63となり、ばらつきの指数は5.9となる。つまり、この評価においても、ライトイレース方式を適用するOPCの場合の方が、単純イレース方式を適用する基本のOPCの場合よりも収束値が安定することが示される。
【００９８】
図２０乃至図２２は、OPC収束値の温度特性を示す図である。各グラフにおいて、横軸（ｘ軸）は測定回数を示し、縦軸（ｙ軸）は、収束値（ｍＷ）を示す。図２０は、高温（６５℃）の環境下で５０回OPC動作させた場合の収束回数とOPC収束値のばらつきを比較する図である。図２０Ａが単純イレース方式を適用した基本のOPCの結果の例を示しており、図２０Ｂがライトイレース方式を適用したOPCの結果の例を示している。
【００９９】
図２０Ａと図２０Ｂとを比較すると、明らかに図２０Ｂの方がOPCの収束値のばらつきが図２０Ａの場合よりも少ない。具体的に数値で示すと、OPC収束値の最大値と最小値の差は、図２０Ａの場合0.9ｍＷとなり、図２０Ｂの場合0.5ｍＷとなる。
【０１００】
図２１は、常温（２５℃）の環境下で５０回OPC動作させた場合の収束回数とOPC収束値のばらつきを比較する図である。図２１Ａが単純イレース方式を適用した基本のOPCの結果の例を示しており、図２１Ｂがライトイレース方式を適用したOPCの結果の例を示している。
【０１０１】
図２１Ａと図２１Ｂとを比較すると、明らかに図２１Ｂの方がOPCの収束値のばらつきが図２１Ａの場合よりも少ない。具体的に数値で示すと、OPC収束値の最大値と最小値の差は、図２１Ａの場合0.6ｍＷとなり、図２０Ｂの場合0.2ｍＷとなる。
【０１０２】
図２２は、低音（−１０℃）の環境下で５０回OPC動作させた場合の収束回数とOPC収束値のばらつきを比較する図である。図２２Ａが単純イレース方式を適用した基本のOPCの結果の例を示しており、図２２Ｂがライトイレース方式を適用したOPCの結果の例を示している。
【０１０３】
図２２Ａと図２２Ｂとを比較すると、明らかに図２２Ｂの方がOPCの収束値のばらつきが図２２Ａの場合よりも少ない。具体的に数値で示すと、OPC収束値の最大値と最小値の差は、図２２Ａの場合0.7ｍＷとなり、図２０Ｂの場合0.4ｍＷとなる。
【０１０４】
以上のように、全温度環境において（周囲の温度によらず）、ライトイレース方式を適用するOPCの場合の方が、単純イレース方式を適用する基本のOPCの場合よりも収束値が安定することが示される。つまり、図１７乃至図２２に示される全ての評価結果において、ライトイレース方式を適用するOPCの場合の方が、単純イレース方式を適用する基本のOPCの場合よりも収束値が安定することが示される。
【０１０５】
したがって、システムコントローラ１１１は、OPC処理にライトイレース方式を適用することにより、単純イレース方式を適用する場合のOPCよりもOPC収束値の安定性を向上させることができる。
【０１０６】
なお、上述したように、以上の評価においては、イレース時のイレースパワーは、ライトイレース方式を適用するOPCの場合の方が、単純イレース方式を適用するOPCの場合よりも低く設定している。それにもかかわらず、以上の評価結果によると、ライトイレース方式を適用するOPCの場合の方が、単純イレース方式を適用するOPCの場合よりも履歴がよく消去されている。つまり、ライトイレース方式を適用するOPCの場合の方が、単純イレース方式を適用するOPCの場合よりもイレース時のイレースパワーをより低く抑えることができる。これにより、システムコントローラ１１１は、OPC処理にライトイレース方式を適用することにより、単純イレース方式を適用する場合のOPCよりもメディア（光ディスク１２１）の記録膜の劣化を抑制することができる。特に、繰り返しOPCを行う場合、より大きな効果を得ることができる。
【０１０７】
なお、例えば、階段状にイレースパワーを変化させて試験的に消去を行い、その結果、良好に消去可能なイレースパワーを求めることにより、消し残しを抑制する方法が考えられるが、その場合、イレースパワーを求めるために試験を行う等、煩雑な作業が必要になる。また、この方法の場合、結局DCイレースは単純イレース方式であるので、そのイレースパワーの値は大きくなる。
【０１０８】
これに対して、ライトイレース方式の場合、上述したように、光ディスク１２１の仕様書のDIに記載される記録最適のPpおよびPe/Pp比より算出した値を適用するだけでよいので、システムコントローラ１１１は、より容易にOPC収束値の安定性を向上させることができる。また、上述したようにシステムコントローラ１１１は、そのイレースパワーの値を低くすることができる。
【０１０９】
なお、以上に説明したOPCにおいて、種々の応用が可能である。例えば、OPCを行うRUBの数は任意である。また、図１０のDCイレース処理におけるライト時の波形パターンも、ピークパワーおよびイレースパワーが一定であるならば任意である。さらに、そのライト時のピークパワーやイレースパワー、並びに、イレース時のイレースパワーも、ライトやイレースが正常に行われる範囲内であれば任意である。もちろん、リファレンスライトやEVAライトの各種設定も正常動作する範囲内であれば基本的に任意である。
【０１１０】
上述した一連の処理は、ハードウェアにより実行させることもできるし、ソフトウエアにより実行させることもできる。この場合、例えば、図２３に示されるようなパーソナルコンピュータとして構成されるようにしてもよい。
【０１１１】
図２３において、パーソナルコンピュータ３００のCPU３０１は、ROM３０２に記憶されているプログラム、または記憶部３１３からRAM３０３にロードされたプログラムに従って各種の処理を実行する。RAM３０３にはまた、CPU３０１が各種の処理を実行する上において必要なデータなども適宜記憶される。
【０１１２】
CPU３０１、ROM３０２、およびRAM３０３は、バス３０４を介して相互に接続されている。このバス３０４にはまた、入出力インタフェース３１０も接続されている。
【０１１３】
入出力インタフェース３１０には、キーボード、マウスなどよりなる入力部３１１、CRT（Cathode Ray Tube）やLCD（Liquid Crystal Display）などよりなるディスプレイ、並びにスピーカなどよりなる出力部３１２、ハードディスクなどより構成される記憶部３１３、モデムなどより構成される通信部３１４が接続されている。通信部３１４は、インターネットを含むネットワークを介しての通信処理を行う。
【０１１４】
入出力インタフェース３１０にはまた、必要に応じてドライブ３１５が接続され、磁気ディスク、光ディスク、光磁気ディスク、或いは半導体メモリなどのリムーバブルメディア３１６が適宜装着され、それらから読み出されたコンピュータプログラムが、必要に応じて記憶部３１３にインストールされる。
【０１１５】
上述した一連の処理をソフトウエアにより実行させる場合には、そのソフトウエアを構成するプログラムが、ネットワークや記録媒体からインストールされる。
【０１１６】
この記録媒体は、例えば、図２３に示されるように、装置本体とは別に、ユーザにプログラムを配信するために配布される、プログラムが記録されている磁気ディスク（フレキシブルディスクを含む）、光ディスク（CD-ROM（Compact Disc - Read Only Memory）,DVD（Digital Versatile Disc）を含む）、光磁気ディスク（MD（Mini Disc）を含む）、もしくは半導体メモリなどよりなるリムーバブルメディア３１６により構成されるだけでなく、装置本体に予め組み込まれた状態でユーザに配信される、プログラムが記録されているROM３０２や、記憶部３１３に含まれるハードディスクなどで構成される。
【０１１７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１１８】
なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。つまり、本発明の実施の形態は、上述した実施の形態に限定されるものではなく、本発明の要旨を逸脱しない範囲において種々の変更が可能である。
【図面の簡単な説明】
【０１１９】
【図１】基本の最適パワー調整処理の流れの例を説明するフローチャートである。
【図２】単純イレース方式のDCイレースの様子を説明する模式図である。
【図３】リファレンスライトの様子を説明する模式図である。
【図４】再生RF振幅の評価の様子を説明する模式図である。
【図５】単純イレース方式のDCイレースの様子を説明する模式図である。
【図６】１６段階パワー階段ライトの様子を説明する模式図である。
【図７】再生RF振幅の評価の様子を説明する模式図である。
【図８】本発明を適用した光ディスクドライブの構成例を示すブロック図である。
【図９】最適パワー調整処理の流れの例を説明するフローチャートである。
【図１０】DCイレース処理の流れの例を説明するフローチャートである。
【図１１】ライトイレース方式のDCイレースの様子を説明する模式図である。
【図１２】リファレンスライトの様子を説明する模式図である。
【図１３】再生RF振幅の評価の様子を説明する模式図である。
【図１４】ライトイレース方式のDCイレースの様子を説明する模式図である。
【図１５】１６段階パワー階段ライトの様子を説明する模式図である。
【図１６】再生RF振幅の評価の様子を説明する模式図である。
【図１７】PindSCAN評価を比較するグラフである。
【図１８】OPCDOW２００評価を比較するグラフである。
【図１９】OPC収束値トレンドを比較するグラフである。
【図２０】高温環境下におけるOPC収束値のばらつきを比較するグラフである。
【図２１】常温環境下におけるOPC収束値のばらつきを比較するグラフである。
【図２２】低音環境下におけるOPC収束値のばらつきを比較するグラフである。
【図２３】本発明を適用したパーソナルコンピュータの構成例を示すブロック図である。
【符号の説明】
【０１２０】
１００  光ディスクドライブ，  １１１  システムコントローラ，  １１２  スピンドルモータ駆動回路，  １１３  スピンドルモータ，  １１４  サーボ制御部，  １１５  データプロセッサ，  １１６  光学ヘッド部，  １２１  光ディスク，  １３１  CPU，  １３２  ROM，  １３３  RAM
【図１】
0004775666.tif 000002
【図２】
0004775666.tif 000003
【図３】
0004775666.tif 000004
【図４】
0004775666.tif 000005
【図５】
0004775666.tif 000006
【図６】
0004775666.tif 000007
【図７】
0004775666.tif 000008
【図８】
0004775666.tif 000009
【図９】
0004775666.tif 000010
【図１０】
0004775666.tif 000011
【図１１】
0004775666.tif 000012
【図１２】
0004775666.tif 000013
【図１３】
0004775666.tif 000014
【図１４】
0004775666.tif 000015
【図１５】
0004775666.tif 000016
【図１６】
0004775666.tif 000017
【図１７】
0004775666.tif 000018
【図１８】
0004775666.tif 000019
【図１９】
0004775666.tif 000020
【図２０】
0004775666.tif 000021
【図２１】
0004775666.tif 000022
【図２２】
0004775666.tif 000023
【図２３】
0004775666.tif 000024